(57)【要約】【課題】構造的弾性力を用いて、構造が単純なディスクチャッキング装置を提供する。【解決手段】回転駆動力を提供するモーターに備えられて、ローターケースに装着されるディスクをチャッキングする装置であって、前記モーターの回転軸に連結される中心ボス部；前記ディスクの中心孔が対応して嵌合されるように、前記中心ボス部から外側に延設されるガイド部；及び嵌合される前記ディスクによって押されられて内側に弾性変形できるように、前記中心ボス部から外側に延設されるチャッキング部；を含み、前記チャッキング部は、前記中心ボス部の下部から外側に水平に延びる下側水平部；前記下側水平部の端部から上方に折り曲げられ、外側に斜めに延びる垂直部；及び前記垂直部の端部から内側に水平に延びる上側水平部；を含む。【選択図】図３
2011119010.tif 000002
【特許請求の範囲】
【請求項１】
回転駆動力を提供するモーターに備えられて、ローターケースに装着されるディスクをチャッキングする装置において、
前記モーターの回転軸に連結される中心ボス部；
前記ディスクの中心孔が対応して嵌合されるように、前記中心ボス部から外側に延設されるガイド部；及び
嵌合される前記ディスクによって押されられて内側に弾性変形できるように、前記中心ボス部から外側に延設されるチャッキング部；
を含み、
前記チャッキング部は、
前記中心ボス部の下部から外側に水平に延びる下側水平部；
前記下側水平部の端部から上方に折り曲げられ、外側に斜めに延びる垂直部；及び
前記垂直部の端部から内側に水平に延びる上側水平部；
を含むことを特徴とする、ディスクチャッキング装置。
【請求項２】
前記中心ボス部と前記垂直部の間には、前記垂直部に内側方向に弾性力を提供する弾性部材が備えられたことを特徴とする、請求項１に記載のディスクチャッキング装置。
【請求項３】
前記下側水平部または前記上側水平部は、その内部に開放部を備えることを特徴とする、請求項１に記載のディスクチャッキング装置。
【請求項４】
前記下側水平部は、前記ローターケースと接触するかあるいは接触しないように形成されたことを特徴とする、請求項１に記載のディスクチャッキング装置。
【請求項５】
前記ガイド部の外面には、前記ディスクの中心孔の内周面と先端外面が接して前記ディスクを自体弾性力で弾支する弾性片が一体に形成されたことを特徴とする、請求項１に記載のディスクチャッキング装置。
【請求項６】
前記ガイド部は前記中心ボス部に対して等間隔で複数備えられ、前記チャッキング部は前記中心ボス部に対して等間隔で複数備えられることを特徴とする、請求項１に記載のディスクチャッキング装置。
【請求項７】
回転駆動力を提供するモーターに備えられて、ローターケースに装着されるディスクをチャッキングする装置において、
前記モーターの回転軸に連結される中心ボス部；
前記ディスクの中心孔が対応して嵌合されるように、前記中心ボス部から外側に延設され、切開部を備えたガイド部；及び
嵌合される前記ディスクによって押されられて内側に弾性変形できるように前記ローターケースに備えられ、前記切開部の間に配置されるチャッキング部；
を含み、
前記チャッキング部は、
前記ローターケースから上方に延び、外側に斜めに延びる垂直部；及び
前記垂直部の端部から内側に水平に延びる上側水平部；
を含むことを特徴とする、ディスクチャッキング装置。
【請求項８】
前記中心ボス部と前記垂直部の間には、前記垂直部に内側方向に弾性力を提供する弾性部材が備えられたことを特徴とする、請求項７に記載のディスクチャッキング装置。
【請求項９】
前記上側水平部は、その内部に開放部を備えることを特徴とする、請求項７に記載のディスクチャッキング装置。
【請求項１０】
前記チャッキング部は、前記ローターケースと一体に形成されたことを特徴とする、請求項７に記載のディスクチャッキング装置。
【請求項１１】
前記ガイド部の外面には、前記ディスクの中心孔の内周面と先端外面が接して前記ディスクを自体弾性力で弾支する弾性片が一体に形成されたことを特徴とする、請求項７に記載のディスクチャッキング装置。
【請求項１２】
前記ガイド部は前記中心ボス部に対して等間隔で複数備えられ、前記チャッキング部は前記中心ボス部に対して等間隔で複数備えられることを特徴とする、請求項７に記載のディスクチャッキング装置。
【請求項１３】
回転駆動力を提供するモーターに備えられて、ローターケースに装着されるディスクをチャッキングする装置において、
前記モーターの回転軸に連結される中心ボス部；
前記ディスクの中心孔が対応して嵌合されるように、前記中心ボス部から外側に延設されるガイド部；及び
嵌合される前記ディスクによって押されられて内側に弾性変形できるように、前記中心ボス部から外側に延設されるチャッキング部；
を含み、
前記チャッキング部は、
前記中心ボス部の上部から外側に水平に延びる上側水平部；及び
前記水平部の端部から下方に折り曲げられ、内側に斜めに延びる垂直部；
を含むことを特徴とする、ディスクチャッキング装置。
【請求項１４】
前記中心ボス部と前記垂直部の間には、前記垂直部に内側方向に弾性力を提供する弾性部材が備えられたことを特徴とする、請求項１３に記載のディスクチャッキング装置。
【請求項１５】
前記上側水平部は、その内部に開放部を備えることを特徴とする、請求項１３に記載のディスクチャッキング装置。
【請求項１６】
前記ガイド部の外面には、前記ディスクの中心孔の内周面と先端外面が接して前記ディスクを自体弾性力で弾支する弾性片が一体に形成されたことを特徴とする、請求項１３に記載のディスクチャッキング装置。
【請求項１７】
前記ガイド部は前記中心ボス部に対して等間隔で複数備えられ、前記チャッキング部は前記中心ボス部に対して等間隔で複数備えられることを特徴とする、請求項１３に記載のディスクチャッキング装置。
【発明の詳細な説明】
【技術分野】
【０００１】
本発明はディスクチャッキング装置に関する。
【背景技術】
【０００２】
一般に、光ディスクとハードディスクなどの光記録媒体を高速で回転させるためのスピンドルモーターは、ベアリングと回転軸の間に潤滑油による油膜を形成して回転軸を回転可能に支持することで、高精度の回転特性を維持することができ、これによりハードディスクドライブ、光ディスクドライブ及びその他の高速回転を要する記録媒体の駆動手段として広く採用されている。
このようなスピンドルモーターにおいて、スピンドルモーターの回転駆動力によって一方向に回転するディスクの安全性を維持するとともにディスクの中心が回転中心と一致するようにディスクを固定するディスクチャッキング装置の性能は非常に重要な核心技術である。
この際、ディスクチャッキング装置は、スピンドルモーターの高速回転の際、光記録媒体のすべりや離脱を防止し、光記録媒体の装着／分離の際にも光記録媒体に損傷を与えるか過度な力を要することがあればいけないものである。図１はこのような機能を達成するための従来技術によるディスクチャッキング装置を備えたスピンドルモーターの部分断面図を示し、図２は図１に示されたディスクチャッキング装置の平面図を示す。
【０００３】
図１及び図２に示すように、従来技術によるディスクチャッキング装置１０は、スピンドルモーター２０のステータ２０ａと作用するマグネット２５が備えられたローター２０ｂの上面にディスクの中心孔が嵌合されるチャックベース１２を備え、前記チャックベース１２の胴体上面に外周に沿って複数の配置部１２ａが半径方向に切開された構造を持つ。
前記配置部１２ａには、これに沿って前後進可能にチャックピン１３がそれぞれ組み立てられ、前記チャックピン１３はスプリング部材１５の弾性力によって外方に弾支され、前記チャックベース１２の配置部１２ａの間には前記チャックベース１２に嵌合されたディスクの中心孔を自体弾性力で弾支する弾性片１４を形成する。
図１及び図２において、未説明符号１６はディスクの下面と接するラバー材、２３は前記ステータ２０ａを固定するホルダー、２６はステータ２０ａに対するローター２０ｂの回転を支持するシャフト、２７はベアリング部材である。
【０００４】
このような構成を持つ従来のディスクチャッキング装置１０を用いてディスクを嵌め合わせて固定する方法は、前記チャックベース１２の上側からディスクが直下方に押し下げられると、前記チャックベース１２の外径は前記ディスクの中心孔の内径より小さいが前記チャックベース１２に組み立てられたチャックピン１３の先端が半径方向外側に突出されているため、前記中心孔の内周面下端エッジ部が前記チャックピン１３と干渉して接することになる。
そして、前記チャックピン１３の先端上面は下方に緩く傾いたテーパー面に形成されているため、直下方に加わるディスクの装着力によって前記チャックピン１３は前記スプリング部材１５を強制に圧縮させながら後方に押し込まれると同時に前記弾性片１４も後方に押し付けられて変形される。
ついで、前記ディスクがローターケース２４の上面に装着された環状のラバー材１６に接すれば、前記スプリング部材１５の圧縮の際に発生する弾性復元力によって半径方向外側に戻ろうとする複数のチャックピン１３によって前記チャックベース１２に嵌合された状態をそのまま維持するようにチャッキングされるものである。
【０００５】
しかし、従来技術によるディスクチャッキング装置１０はチャックピン１３が分離された状態でスプリング部材１５に結合して駆動する構造を持つため、構造が複雑であるだけでなく、チャックピン１３を別に製作しなければならないし、これを組み立てることが困難であった。
【発明の概要】
【発明が解決しようとする課題】
【０００６】
したがって、本発明は前記のような問題点を解決するためになされたもので、本発明の目的は、構造的弾性力を用いて、構造が単純なディスクチャッキング装置を提供することにある。
【課題を解決するための手段】
【０００７】
前記課題を達成するために、本発明の一面によれば、回転駆動力を提供するモーターに備えられて、ローターケースに装着されるディスクをチャッキングする装置において、前記モーターの回転軸に連結される中心ボス部；前記ディスクの中心孔が対応して嵌合されるように、前記中心ボス部から外側に延設されるガイド部；及び嵌合される前記ディスクによって押されられて内側に弾性変形できるように、前記中心ボス部から外側に延設されるチャッキング部；を含み、前記チャッキング部は、前記中心ボス部の下部から外側に水平に延びる下側水平部；前記下側水平部の端部から上方に折り曲げられ、外側に斜めに延びる垂直部；及び前記垂直部の端部から内側に水平に延びる上側水平部；を含む、ディスクチャッキング装置が提供される。
【０００８】
前記中心ボス部と前記垂直部の間には、前記垂直部に内側方向に弾性力を提供する弾性部材が備えられることができる。
前記下側水平部または前記上側水平部は、その内部に開放部を備えることができる。
前記下側水平部は、前記ローターケースと接触するかあるいは接触しないように形成されることができる。
前記ガイド部の外面には、前記ディスクの中心孔の内周面と先端外面が接して前記ディスクを自体弾性力で弾支する弾性片が一体に形成されることができる。
前記ガイド部は前記中心ボス部に対して等間隔で複数備えられ、前記チャッキング部は前記中心ボス部に対して等間隔で複数備えられることができる。
前記課題を達成するために、本発明の他の面によれば、回転駆動力を提供するモーターに備えられて、ローターケースに装着されるディスクをチャッキングする装置において、前記モーターの回転軸に連結される中心ボス部；前記ディスクの中心孔が対応して嵌合されるように、前記中心ボス部から外側に延設され、切開部を備えたガイド部；及び嵌合される前記ディスクによって押されられて内側に弾性変形できるように前記ローターケースに備えられ、前記切開部の間に配置されるチャッキング部；を含み、前記チャッキング部は、前記ローターケースから上方に延び、外側に斜めに延びる垂直部；及び前記垂直部の端部から内側に水平に延びる上側水平部；を含む、ディスクチャッキング装置が提供される。
【０００９】
前記中心ボス部と前記垂直部の間には、前記垂直部に内側方向に弾性力を提供する弾性部材が備えられることができる。
前記上側水平部は、その内部に開放部を備えることができる。
前記チャッキング部は、前記ローターケースと一体に形成されることができる。
前記ガイド部の外面には、前記ディスクの中心孔の内周面と先端外面が接して前記ディスクを自体弾性力で弾支する弾性片が一体に形成されることができる。
前記ガイド部及び前記チャッキング部は、前記中心ボス部に対して等間隔で複数備えられることができる。
【００１０】
前記課題を達成するために、本発明のさらに他の面によれば、回転駆動力を提供するモーターに備えられて、ローターケースに装着されるディスクをチャッキングする装置において、前記モーターの回転軸に連結される中心ボス部；前記ディスクの中心孔が対応して嵌合されるように、前記中心ボス部から外側に延設されるガイド部；及び嵌合される前記ディスクによって押されられて内側に弾性変形できるように、前記中心ボス部から外側に延設されるチャッキング部；を含み、前記チャッキング部は、前記中心ボス部の上部から外側に水平に延びる上側水平部；及び前記水平部の端部から下方に折り曲げられ、内側に斜めに延びる垂直部；を含む、ディスクチャッキング装置が提供される。
前記中心ボス部と前記垂直部の間には、前記垂直部に内側方向に弾性力を提供する弾性部材が備えられることができる。
前記上側水平部は、その内部に開放部を備えることができる。
前記ガイド部の外面には、前記ディスクの中心孔の内周面と先端外面が接して前記ディスクを自体弾性力で弾支する弾性片が一体に形成されることができる。
前記ガイド部及び前記チャッキング部は、前記中心ボス部に対して等間隔で複数備えられることができる。
【００１１】
本発明の特徴及び利点は添付図面に基づいた以降の詳細な説明からより明らかになるであろう。
本発明の詳細な説明に先立ち、本明細書及び請求範囲に使用された用語や単語は通常的で辞書的な意味に解釈されてはいけなく、発明者がその自分の発明を最善の方法で説明するために用語の概念を適切に定義することができるという原則にしたがって本発明の技術的思想にかなう意味と概念に解釈されなければならない。
【発明の効果】
【００１２】
本発明によれば、チャッキング部の構造的弾性力を用いてディスクをチャッキングするディスクチャッキング装置を提供することにより、構造及び組立工程が簡素化し、材料費を節減することができる。
【図面の簡単な説明】
【００１３】
【図１】従来技術によるディスクチャッキング装置を備えたスピンドルモーターの部分断面図である。
【図２】図１に示されたディスクチャッキング装置の平面図である。
【図３】本発明の好適な第１実施例によるディスクチャッキング装置の断面図である。
【図４】図３に示されたディスクチャッキング装置の斜視図である。
【図５】図３及び図４に示されたディスクチャッキング装置にディスクが装着される順序を示す断面図である。
【図６】本発明の好適な第２実施例によるディスクチャッキング装置の断面図である。
【図７】図６に示されたディスクチャッキング装置の斜視図である。
【図８】図６及び図７に示されたディスクチャッキング装置にディスクが装着される順序を示す断面図である。
【図９】本発明の好適な第３実施例によるディスクチャッキング装置の断面図である。
【図１０】図９に示されたディスクチャッキング装置の斜視図である。
【図１１】図９及び図１０に示されたディスクチャッキング装置にディスクが装着される順序を示す断面図である。
【発明を実施するための形態】
【００１４】
本発明の目的、特定の利点及び新規の特徴は添付図面を参照する以下の詳細な説明及び好適な実施例から一層明らかに理解可能であろう。本明細書において、各図面の構成要素に参照番号を付け加えるにあたり、同じ構成要素がたとえ他の図面に図示されていても、できるだけ同じ符号を付けることにする。また、本発明の説明において、関連の公知技術が本発明の要旨を不要にあいまいにすることができると判断されると、その具体的な説明は省略する。
【実施例】
【００１５】
以下、添付図面に基づいて、本発明の好適な実施例を詳細に説明する。
ディスクチャッキング装置−第1実施例
図３は本発明の好適な第１実施例によるディスクチャッキング装置の断面図、図４は図３に示されたディスクチャッキング装置の斜視図である。以下、これらの図を参照して本実施例によるディスクチャッキング装置１００ａについて説明する。
図３及び図４に示すように、本実施例によるディスクチャッキング装置１００ａは、回転駆動力を提供するモーター（スピンドルモーター）に備えられて、ローターケース１２０に装着されるディスクＤをチャッキングするためのもので、中心ボス部１３０ａ、ガイド部１８０、及びチャッキング部を含んでなる。
ローターケース１２０はディスクＤが装着される部分で、中心部位から上向きに突設され、その内部に回転軸１１０と同一直径を持つ結合孔（図示せず）が形成され、回転軸１１０に嵌合されるか接着結合される。この際、ローターケース１２０の上面外周付近にはディスクＤのスリップを防止するためのスリップ防止部材１２２が付着できる。一方、図３には、ローターケース１２０の上面にディスクＤ及びディスクチャッキング装置１００ａが備えられたものとして示されているが、前記ローターケース１２０の上面に別に組み立てられたターンテーブル（図示せず）上に備えられることもできる。
中心ボス部１３０ａは、モーター駆動の際、ローターケース１２０及びディスクＤとともに一方向に回転する回転構造物で、中空円筒状構造を持ち、その中心部が回転軸１１０に組み立てられた状態で外側に延設される。この際、中心ボス部１３０ａから外側に延びる部分にはガイド部１８０及びチャッキング部が一体に形成される。
【００１６】
ガイド部１８０はディスクＤの中心孔に対応して嵌合されるようにガイドするためのもので、中心ボス部１３０ａから外側に延設される。ここで、ガイド部１８０は中心ボス部１３０ａに対して等間隔で複数備えられ、好ましくは１２０度の間隔で三つ備えられる。この際、ガイド部１８０の外面はディスクＤの中心孔が易しくガイドされて嵌合されるようにラウンド構造に形成される。また、ガイド部１８０の外面は、側面部がガイド部１８０から分離されるように弾性片１９０が形成されることにより、嵌合されるディスクＤ中心孔の内周面と接してディスクＤを自体弾性力で弾支することが好ましい。
チャッキング部は自体弾性力によって内側に収縮可能に形成されて、装着または脱着されるディスクＤを固定するための作動部材であって、中心ボス部１３０ａから外側に延設される。ここで、チャッキング部は中心ボス部１３０ａに対して等間隔でガイド部１８０の間に複数備えられ、好ましくは１２０度の間隔で三つ備えられる。
【００１７】
具体的に、チャッキング部は、中心ボス部１３０ａの下部から外側にほぼ水平に延びる下側水平部１４０ａ、前記下側水平部１４０ａの端部から上向きに折り曲げられ、外側方向に斜めに延びる垂直部１５０ａ、及び前記垂直部１５０ａの上端から内側に水平に延びる上側水平部１６０ａを含んでなる。このような構造を持つチャッキング部は内側方向、ディスクＤの装着方向、及び／またはディスクＤの脱着方向に弾性変形可能であるので、ディスクＤの装着／脱着の機能をするとともに装着されたディスクＤを固定する役目をすることになる。
ここで、下側水平部１４０ａは、ローターケース１２０から離隔した状態を持つように、中心ボス部１３０ａから外側に延設されるので、ローターケース１２０に対する離隔距離の分だけ第１変位空間を確保することになる。すなわち、嵌合されるディスクＤによって力に印加される場合、第１変位空間内で下側水平部１４０ａを含むチャッキング部の弾性変形ができるようにする。この際、下側水平部１４０ａには、自体弾性力を増大するために、内部が開放した構造、つまり開放部を備えることが好ましい。
【００１８】
垂直部１５０ａは、ディスクＤの装着及び脱着の際に印加される力によって内側方向に弾性変形することによりディスクＤのチャッキングができるようにするとともに嵌合されたディスクＤを固定する役目をすることになる。
上側水平部１６０ａは前記垂直部１５０ａの上端から内側方向にほぼ平行に折り曲げられて延び、中心ボス部１３０ａから離隔するように形成される。この際、上側水平部１６０ａは中心ボス部１３０ａに対する離隔距離の分だけ第２変位空間を確保することになり、第２変位空間は上側水平部１６０ａを含むチャッキング部が内側方向に弾性変形できるようにする。ここで、垂直部１５０ａの上端と連結される上側水平部１６０ａの先端はディスクＤの嵌合を補助するために傾いた構造を持ち、自体弾性力を増大させるために内部が開放した構造、つまり開放部を備えることが好ましい。
【００１９】
一方、前述したような構造を持つチャッキング部は自体弾性力によってディスクＤをチャッキングする役目をすることができるが、特にディスクＤの装着の際、ディスクＤの装着方向に力を受けてチャッキング部が塑性変形する問題を予防するために、垂直部１５０ａと中心ボス部１３０ａの間に介在されて、前記垂直部１５０ａに対して内側方向に弾性力を提供する弾性部材１７０を備えることが好ましい。この際、弾性部材１７０としてはスプリングを使用することができる。
【００２０】
図５は図３及び図４に示されたディスクチャッキング装置にディスクが装着される装着順序を示す断面図ある。以下、同図を参照して第１実施例によるディスクチャッキング装置１００ａの装着状態について説明する。
まず、図５の（ａ）に示すように、ディスクチャッキング装置１００ａの上部にディスクＤの中心孔がガイド部１８０に対応するように配置する。
ついで、図５の（ｂ）に示すように、使用者がディスクＤを直下方に押し下げる。この際、ガイド部１８０の外径はディスクＤの中心孔の内径よりは小さいが、チャッキング部の先端、具体的に外側に傾いた垂直部１５０ａの上端と上側水平部１６０ａの先端は外側に突出するため、ディスクＤの中心孔はこの部分と干渉することになる。
【００２１】
ついで、図５の（ｃ）に示すように、使用者が直下方にディスクＤを続けて押し下げる場合、ディスクＤの嵌合方向に伝達される力によって下側水平部１４０ａの第１変位空間内でチャッキング部が下側に変形されるにつれて、内側方向にチャッキング部に伝達される力によって上側水平部１６０ａが第２変位空間内で内側に弾性変形することによりディスクＤが装着される。この際、ディスクＤの嵌合方向に伝達される力によってチャッキング部が下側に変形されるとき、弾性部材１７０はチャッキング部に内側方向に弾性力を提供することでチャッキング部の塑性変形を防止することになる。
最後に、図５の（ｄ）に示すように、ディスクＤが装着された場合、チャッキング部は自体弾性力によって元の状態に戻ることになり、外側に斜めに形成された垂直部１５０ａはディスクＤを拘束して固定させることになる。
一方、図示しなかったが、ディスクＤの脱着は前記装着過程の反対順に進むとよい。
【００２２】
ディスクチャッキング装置−第２実施例
図６は本発明の好適な第２実施例によるディスクチャッキング装置の断面図、図７は図６に示されたディスクチャッキング装置の斜視図である。以下、これら図を参照して本実施例によるディスクチャッキング装置１００ｂについて説明する。本実施例はチャッキング部の構成を除き以前の実施例と類似しているので、同一または対応の構成要素に対しては同一参照番号を付け、重複する部分についての説明は省略する。
【００２３】
図６及び図７に示すように、本実施例によるディスクチャッキング装置１００ｂは、チャッキング部がローターケース１２０の上側から延び、外側に斜めに形成される垂直部１５０ｂ、及び前記垂直部１５０ｂの端部から内側にほぼ水平に延びる上側水平部１６０ｂを含んでなる。
垂直部１５０ｂは、ディスクＤの装着及び脱着の際に印加される力によって内側方向に弾性変形することにより、ディスクＤのチャッキングができるようにするとともに嵌合されたディスクＤを固定する役目をする。
上側水平部１６０ｂは前記垂直部１５０ｂの上端から内側方向にほぼ水平に折り曲げられて延び、中心ボス部１３０ｂから離隔するように形成される。この際、上側水平部１６０ｂは中心ボス部１３０ｂに対する離隔距離の分だけ変位空間を確保することになり、変位空間は上側水平部１６０ｂを含むチャッキング部が内側方向に弾性変形できるようにする。ここで、垂直部１５０ｂの上端と連結される上側水平部１６０ｂの先端は、ディスクＤの嵌合を補助するために、傾いた構造を持ち、自体弾性力を増大させるために、内部が開放した構造、つまり開放部を備えることが好ましい。
【００２４】
図８は図６及び図７に示されたディスクチャッキング装置にディスクが装着される順序を示す断面図である。以下、同図を参照して第２実施例によるディスクチャッキング装置１００ｂの装着状態について説明する。
まず、図８の（ａ）に示すように、ディスクチャッキング装置１００ｂの上部にディスクＤの中心孔がガイド部１８０に対応するように配置する。
ついで、図８の（ｂ）に示すように、使用者がディスクＤを直下方に押し下げる。この際、ガイド部１８０の外径はディスクＤの中心孔の内径よりは小さいが、チャッキング部の先端、具体的に外側に傾いた垂直部１５０ｂの上端と上側水平部１６０ｂの先端は外側に突出するため、ディスクＤの中心孔はこの部分と干渉することになる。
【００２５】
ついで、図８の（ｃ）に示すように、使用者が直下方にディスクＤを続けて押し下げる場合、ディスクＤの嵌合方向に伝達される力によってチャッキング部が変位空間内で下側に変形して、内側方向にチャッキング部に伝達される力によってチャッキング部が変位空間内で内側に弾性変形することによりディスクＤが装着される。
最後に、図８の（ｄ）に示すように、ディスクＤが装着された場合、チャッキング部は自体弾性力によって元の状態に戻ることになり、外側に斜めに形成された垂直部１５０ｂはディスクＤを拘束して固定させることになる。
【００２６】
ディスクチャッキング装置−第３実施例
図９は本発明の好適な第３実施例によるディスクチャッキング装置の断面図、図１０は図９に示されたディスクチャッキング装置の斜視図である。以下、これらの図を参照して本実施例によるディスクチャッキング装置１００ｃについて説明する。本実施例はチャッキング部の構成を除き以前の実施例と類似しているので、同一または対応の構成要素に対しては同一参照番号を付け、重複する部分についての説明は省略する。
【００２７】
図９及び図１０に示すように、本実施例によるディスクチャッキング装置１００ｃは、チャッキング部が中心ボス部１３０ｃの上部から外側にほぼ水平に延びる上側水平部１６０ｃ、及び前記上側水平部１６０ｃの端部から下方に折り曲げられ、内側に斜めに延びる垂直部１５０ｃを含んでなる。
上側水平部１６０ｃの先端は、ディスクＤの嵌合を補助するために、外側に傾いた構造を持ち、自体弾性力を増大させるために、内部が開放した構造、つまり開放部を備えることが好ましい。
垂直部１５０ｃは、ディスクＤの装着及び脱着の際に印加される力によって内側方向に弾性変形することによりディスクＤのチャッキングができるようにするとともに嵌合されたディスクＤを固定する役目をする。この際、垂直部１５０ｃはローターケース１２０及び中心ボス部１３０ｃから離隔するため、下側方向及び内側方向に弾性変形可能な変位空間を確保することになる。
図１１は図９及び図１０に示されたディスクチャッキング装置にディスクが装着される順序を示す断面図である。以下、同図を参照して第３実施例によるディスクチャッキング装置１００ｃの装着状態について説明する。
まず、図１１の（ａ）に示すように、ディスクチャッキング装置１００ｃの上部にディスクＤの中心孔がガイド部１８０に対応するように配置する。
ついで、図１１の（ｂ）に示すように、使用者がディスクＤを直下方に押し下げる。この際、ガイド部１８０の外径はディスクＤの中心孔の内径よりは小さいが、チャッキング部の先端、具体的に外側に傾いた垂直部１５０ｃの上端と上側水平部１６０ｃの先端は外側に突出するため、ディスクＤの中心孔はこの部分と干渉することになる。
【００２８】
ついで、図１１の（ｃ）に示すように、使用者が直下方にディスクＤを続けて押し下げる場合、ディスクＤの嵌合方向に伝達される力によってチャッキング部が変位空間内で下側に変形されながら、内側方向にチャッキング部に伝達される力によってチャッキング部が変位空間内で内側に弾性変形することによりディスクＤが装着される。
最後に、図１１の（ｄ）に示すように、ディスクＤが装着された場合、チャッキング部は自体弾性力によって元の状態に戻ることになり、外側に斜めに形成された垂直部１５０ｃはディスクＤを拘束して固定させることになる。
【００２９】
以上、本発明を具体的な実施例に基づいて詳細に説明したが、これは本発明を具体的に説明するためのもので、本発明によるディスクチャッキング装置はこれに限定されなく、本発明の技術的思想内で当該分野の通常の知識を持った者によって多様な変形及び改良が可能であろう。本発明の単純な変形ないし変更はいずれも本発明の範疇内に属するもので、本発明の具体的な保護範囲は特許請求範囲によって明らかに決まるであろう。
【産業上の利用可能性】
【００３０】
本発明は、構造的弾性力を用いて、構造が単純なディスクチャッキング装置を提供する。
【符号の説明】
【００３１】
１１０    回転軸
１２０    ローターケース
１２２    スリップ防止部材
１３０ａ、１３０ｂ、１３０ｃ    中心ボス部
１４０ａ    下側水平部
１５０ａ、１５０ｂ、１５０ｃ    垂直部
１６０ａ、１６０ｂ、１６０ｃ    上側水平部
１７０    弾性部材
１８０    ガイド部
１９０    弾性片
【図１】
2011119010.tif 000003
【図２】
2011119010.tif 000004
【図３】
2011119010.tif 000005
【図４】
2011119010.tif 000006
【図５】
2011119010.tif 000007
【図６】
2011119010.tif 000008
【図７】
2011119010.tif 000009
【図８】
2011119010.tif 000010
【図９】
2011119010.tif 000011
【図１０】
2011119010.tif 000012
【図１１】
2011119010.tif 000013
【手続補正書】
【提出日】平成22年10月28日(2010.10.28)
【手続補正１】
【補正対象書類名】明細書
【補正対象項目名】全文
【補正方法】変更
【補正の内容】
【発明の詳細な説明】
【技術分野】
【０００１】
本発明はディスクチャッキング装置に関する。
【背景技術】
【０００２】
一般に、光ディスクとハードディスクなどの光記録媒体を高速で回転させるためのスピンドルモーターは、ベアリングと回転軸の間に潤滑油による油膜を形成して回転軸を回転可能に支持することで、高精度の回転特性を維持することができ、これによりハードディスクドライブ、光ディスクドライブ及びその他の高速回転を要する記録媒体の駆動手段として広く採用されている。
このようなスピンドルモーターにおいて、スピンドルモーターの回転駆動力によって一方向に回転するディスクの安全性を維持するとともにディスクの中心が回転中心と一致するようにディスクを固定するディスクチャッキング装置の性能は非常に重要な核心技術である。
この際、ディスクチャッキング装置は、スピンドルモーターの高速回転の際、光記録媒体のすべりや離脱を防止し、光記録媒体の装着／分離の際にも光記録媒体に損傷を与えるか過度な力を要することがあればいけないものである。図１はこのような機能を達成するための従来技術によるディスクチャッキング装置を備えたスピンドルモーターの部分断面図を示し、図２は図１に示されたディスクチャッキング装置の平面図を示す。
【０００３】
図１及び図２に示すように、従来技術（例えば、特許文献１及び２参照）によるディスクチャッキング装置１０は、スピンドルモーター２０のステータ２０ａと作用するマグネット２５が備えられたローター２０ｂの上面にディスクの中心孔が嵌合されるチャックベース１２を備え、前記チャックベース１２の胴体上面に外周に沿って複数の配置部１２ａが半径方向に切開された構造を持つ。
前記配置部１２ａには、これに沿って前後進可能にチャックピン１３がそれぞれ組み立てられ、前記チャックピン１３はスプリング部材１５の弾性力によって外方に弾支され、前記チャックベース１２の配置部１２ａの間には前記チャックベース１２に嵌合されたディスクの中心孔を自体弾性力で弾支する弾性片１４を形成する。
図１及び図２において、未説明符号１６はディスクの下面と接するラバー材、２３は前記ステータ２０ａを固定するホルダー、２６はステータ２０ａに対するローター２０ｂの回転を支持するシャフト、２７はベアリング部材である。
【０００４】
このような構成を持つ従来のディスクチャッキング装置１０を用いてディスクを嵌め合わせて固定する方法は、前記チャックベース１２の上側からディスクが直下方に押し下げられると、前記チャックベース１２の外径は前記ディスクの中心孔の内径より小さいが前記チャックベース１２に組み立てられたチャックピン１３の先端が半径方向外側に突出されているため、前記中心孔の内周面下端エッジ部が前記チャックピン１３と干渉して接することになる。
そして、前記チャックピン１３の先端上面は下方に緩く傾いたテーパー面に形成されているため、直下方に加わるディスクの装着力によって前記チャックピン１３は前記スプリング部材１５を強制に圧縮させながら後方に押し込まれると同時に前記弾性片１４も後方に押し付けられて変形される。
ついで、前記ディスクがローターケース２４の上面に装着された環状のラバー材１６に接すれば、前記スプリング部材１５の圧縮の際に発生する弾性復元力によって半径方向外側に戻ろうとする複数のチャックピン１３によって前記チャックベース１２に嵌合された状態をそのまま維持するようにチャッキングされるものである。
【０００５】
しかし、従来技術によるディスクチャッキング装置１０はチャックピン１３が分離された状態でスプリング部材１５に結合して駆動する構造を持つため、構造が複雑であるだけでなく、チャックピン１３を別に製作しなければならないし、これを組み立てることが困難であった。
【先行技術文献】
【特許文献】
【０００６】
【特許文献１】米国特許出願公開第２００８０００２２８８号明細書
【特許文献２】韓国特許出願公開第２００８−００８５７１８号明細書
【発明の概要】
【発明が解決しようとする課題】
【０００７】
したがって、本発明は前記のような問題点を解決するためになされたもので、本発明の目的は、構造的弾性力を用いて、構造が単純なディスクチャッキング装置を提供することにある。
【課題を解決するための手段】
【０００８】
前記課題を達成するために、本発明の一面によれば、回転駆動力を提供するモーターに備えられて、ローターケースに装着されるディスクをチャッキングする装置において、前記モーターの回転軸に連結される中心ボス部；前記ディスクの中心孔が対応して嵌合されるように、前記中心ボス部から外側に延設されるガイド部；及び嵌合される前記ディスクによって押されられて内側に弾性変形できるように、前記中心ボス部から外側に延設されるチャッキング部；を含み、前記チャッキング部は、前記中心ボス部の下部から外側に水平に延びる下側水平部；前記下側水平部の端部から上方に折り曲げられ、外側に斜めに延びる垂直部；及び前記垂直部の端部から内側に水平に延びる上側水平部；を含む、ディスクチャッキング装置が提供される。
【０００９】
前記中心ボス部と前記垂直部の間には、前記垂直部に内側方向に弾性力を提供する弾性部材が備えられることができる。
前記下側水平部または前記上側水平部は、その内部に開放部を備えることができる。
前記下側水平部は、前記ローターケースと接触するかあるいは接触しないように形成されることができる。
前記ガイド部の外面には、前記ディスクの中心孔の内周面と先端外面が接して前記ディスクを自体弾性力で弾支する弾性片が一体に形成されることができる。
前記ガイド部は前記中心ボス部に対して等間隔で複数備えられ、前記チャッキング部は前記中心ボス部に対して等間隔で複数備えられることができる。
前記課題を達成するために、本発明の他の面によれば、回転駆動力を提供するモーターに備えられて、ローターケースに装着されるディスクをチャッキングする装置において、前記モーターの回転軸に連結される中心ボス部；前記ディスクの中心孔が対応して嵌合されるように、前記中心ボス部から外側に延設され、切開部を備えたガイド部；及び嵌合される前記ディスクによって押されられて内側に弾性変形できるように前記ローターケースに備えられ、前記切開部の間に配置されるチャッキング部；を含み、前記チャッキング部は、前記ローターケースから上方に延び、外側に斜めに延びる垂直部；及び前記垂直部の端部から内側に水平に延びる上側水平部；を含む、ディスクチャッキング装置が提供される。
【００１０】
前記中心ボス部と前記垂直部の間には、前記垂直部に内側方向に弾性力を提供する弾性部材が備えられることができる。
前記上側水平部は、その内部に開放部を備えることができる。
前記チャッキング部は、前記ローターケースと一体に形成されることができる。
前記ガイド部の外面には、前記ディスクの中心孔の内周面と先端外面が接して前記ディスクを自体弾性力で弾支する弾性片が一体に形成されることができる。
前記ガイド部及び前記チャッキング部は、前記中心ボス部に対して等間隔で複数備えられることができる。
【００１１】
前記課題を達成するために、本発明のさらに他の面によれば、回転駆動力を提供するモーターに備えられて、ローターケースに装着されるディスクをチャッキングする装置において、前記モーターの回転軸に連結される中心ボス部；前記ディスクの中心孔が対応して嵌合されるように、前記中心ボス部から外側に延設されるガイド部；及び嵌合される前記ディスクによって押されられて内側に弾性変形できるように、前記中心ボス部から外側に延設されるチャッキング部；を含み、前記チャッキング部は、前記中心ボス部の上部から外側に水平に延びる上側水平部；及び前記水平部の端部から下方に折り曲げられ、内側に斜めに延びる垂直部；を含む、ディスクチャッキング装置が提供される。
前記中心ボス部と前記垂直部の間には、前記垂直部に内側方向に弾性力を提供する弾性部材が備えられることができる。
前記上側水平部は、その内部に開放部を備えることができる。
前記ガイド部の外面には、前記ディスクの中心孔の内周面と先端外面が接して前記ディスクを自体弾性力で弾支する弾性片が一体に形成されることができる。
前記ガイド部及び前記チャッキング部は、前記中心ボス部に対して等間隔で複数備えられることができる。
【００１２】
本発明の特徴及び利点は添付図面に基づいた以降の詳細な説明からより明らかになるであろう。
本発明の詳細な説明に先立ち、本明細書及び請求範囲に使用された用語や単語は通常的で辞書的な意味に解釈されてはいけなく、発明者がその自分の発明を最善の方法で説明するために用語の概念を適切に定義することができるという原則にしたがって本発明の技術的思想にかなう意味と概念に解釈されなければならない。
【発明の効果】
【００１３】
本発明によれば、チャッキング部の構造的弾性力を用いてディスクをチャッキングするディスクチャッキング装置を提供することにより、構造及び組立工程が簡素化し、材料費を節減することができる。
【図面の簡単な説明】
【００１４】
【図１】従来技術によるディスクチャッキング装置を備えたスピンドルモーターの部分断面図である。
【図２】図１に示されたディスクチャッキング装置の平面図である。
【図３】本発明の好適な第１実施例によるディスクチャッキング装置の断面図である。
【図４】図３に示されたディスクチャッキング装置の斜視図である。
【図５】図３及び図４に示されたディスクチャッキング装置にディスクが装着される順序を示す断面図である。
【図６】本発明の好適な第２実施例によるディスクチャッキング装置の断面図である。
【図７】図６に示されたディスクチャッキング装置の斜視図である。
【図８】図６及び図７に示されたディスクチャッキング装置にディスクが装着される順序を示す断面図である。
【図９】本発明の好適な第３実施例によるディスクチャッキング装置の断面図である。
【図１０】図９に示されたディスクチャッキング装置の斜視図である。
【図１１】図９及び図１０に示されたディスクチャッキング装置にディスクが装着される順序を示す断面図である。
【発明を実施するための形態】
【００１５】
本発明の目的、特定の利点及び新規の特徴は添付図面を参照する以下の詳細な説明及び
好適な実施例から一層明らかに理解可能であろう。本明細書において、各図面の構成要素に参照番号を付け加えるにあたり、同じ構成要素がたとえ他の図面に図示されていても、できるだけ同じ符号を付けることにする。また、本発明の説明において、関連の公知技術が本発明の要旨を不要にあいまいにすることができると判断されると、その具体的な説明は省略する。
【実施例】
【００１６】
以下、添付図面に基づいて、本発明の好適な実施例を詳細に説明する。
ディスクチャッキング装置−第1実施例
図３は本発明の好適な第１実施例によるディスクチャッキング装置の断面図、図４は図３に示されたディスクチャッキング装置の斜視図である。以下、これらの図を参照して本実施例によるディスクチャッキング装置１００ａについて説明する。
図３及び図４に示すように、本実施例によるディスクチャッキング装置１００ａは、回転駆動力を提供するモーター（スピンドルモーター）に備えられて、ローターケース１２０に装着されるディスクＤをチャッキングするためのもので、中心ボス部１３０ａ、ガイド部１８０、及びチャッキング部を含んでなる。
ローターケース１２０はディスクＤが装着される部分で、中心部位から上向きに突設され、その内部に回転軸１１０と同一直径を持つ結合孔（図示せず）が形成され、回転軸１１０に嵌合されるか接着結合される。この際、ローターケース１２０の上面外周付近にはディスクＤのスリップを防止するためのスリップ防止部材１２２が付着できる。一方、図３には、ローターケース１２０の上面にディスクＤ及びディスクチャッキング装置１００ａが備えられたものとして示されているが、前記ローターケース１２０の上面に別に組み立てられたターンテーブル（図示せず）上に備えられることもできる。
中心ボス部１３０ａは、モーター駆動の際、ローターケース１２０及びディスクＤとともに一方向に回転する回転構造物で、中空円筒状構造を持ち、その中心部が回転軸１１０に組み立てられた状態で外側に延設される。この際、中心ボス部１３０ａから外側に延びる部分にはガイド部１８０及びチャッキング部が一体に形成される。
【００１７】
ガイド部１８０はディスクＤの中心孔に対応して嵌合されるようにガイドするためのもので、中心ボス部１３０ａから外側に延設される。ここで、ガイド部１８０は中心ボス部１３０ａに対して等間隔で複数備えられ、好ましくは１２０度の間隔で三つ備えられる。この際、ガイド部１８０の外面はディスクＤの中心孔が易しくガイドされて嵌合されるようにラウンド構造に形成される。また、ガイド部１８０の外面は、側面部がガイド部１８０から分離されるように弾性片１９０が形成されることにより、嵌合されるディスクＤ中心孔の内周面と接してディスクＤを自体弾性力で弾支することが好ましい。
チャッキング部は自体弾性力によって内側に収縮可能に形成されて、装着または脱着されるディスクＤを固定するための作動部材であって、中心ボス部１３０ａから外側に延設される。ここで、チャッキング部は中心ボス部１３０ａに対して等間隔でガイド部１８０の間に複数備えられ、好ましくは１２０度の間隔で三つ備えられる。
【００１８】
具体的に、チャッキング部は、中心ボス部１３０ａの下部から外側にほぼ水平に延びる下側水平部１４０ａ、前記下側水平部１４０ａの端部から上向きに折り曲げられ、外側方向に斜めに延びる垂直部１５０ａ、及び前記垂直部１５０ａの上端から内側に水平に延びる上側水平部１６０ａを含んでなる。このような構造を持つチャッキング部は内側方向、ディスクＤの装着方向、及び／またはディスクＤの脱着方向に弾性変形可能であるので、ディスクＤの装着／脱着の機能をするとともに装着されたディスクＤを固定する役目をすることになる。
ここで、下側水平部１４０ａは、ローターケース１２０から離隔した状態を持つように、中心ボス部１３０ａから外側に延設されるので、ローターケース１２０に対する離隔距離の分だけ第１変位空間を確保することになる。すなわち、嵌合されるディスクＤによって力に印加される場合、第１変位空間内で下側水平部１４０ａを含むチャッキング部の弾性変形ができるようにする。この際、下側水平部１４０ａには、自体弾性力を増大するために、内部が開放した構造、つまり開放部を備えることが好ましい。
【００１９】
垂直部１５０ａは、ディスクＤの装着及び脱着の際に印加される力によって内側方向に弾性変形することによりディスクＤのチャッキングができるようにするとともに嵌合されたディスクＤを固定する役目をすることになる。
上側水平部１６０ａは前記垂直部１５０ａの上端から内側方向にほぼ平行に折り曲げられて延び、中心ボス部１３０ａから離隔するように形成される。この際、上側水平部１６０ａは中心ボス部１３０ａに対する離隔距離の分だけ第２変位空間を確保することになり、第２変位空間は上側水平部１６０ａを含むチャッキング部が内側方向に弾性変形できるようにする。ここで、垂直部１５０ａの上端と連結される上側水平部１６０ａの先端はディスクＤの嵌合を補助するために傾いた構造を持ち、自体弾性力を増大させるために内部が開放した構造、つまり開放部を備えることが好ましい。
【００２０】
一方、前述したような構造を持つチャッキング部は自体弾性力によってディスクＤをチャッキングする役目をすることができるが、特にディスクＤの装着の際、ディスクＤの装着方向に力を受けてチャッキング部が塑性変形する問題を予防するために、垂直部１５０ａと中心ボス部１３０ａの間に介在されて、前記垂直部１５０ａに対して内側方向に弾性力を提供する弾性部材１７０を備えることが好ましい。この際、弾性部材１７０としてはスプリングを使用することができる。
【００２１】
図５は図３及び図４に示されたディスクチャッキング装置にディスクが装着される装着順序を示す断面図ある。以下、同図を参照して第１実施例によるディスクチャッキング装置１００ａの装着状態について説明する。
まず、図５の（ａ）に示すように、ディスクチャッキング装置１００ａの上部にディスクＤの中心孔がガイド部１８０に対応するように配置する。
ついで、図５の（ｂ）に示すように、使用者がディスクＤを直下方に押し下げる。この際、ガイド部１８０の外径はディスクＤの中心孔の内径よりは小さいが、チャッキング部の先端、具体的に外側に傾いた垂直部１５０ａの上端と上側水平部１６０ａの先端は外側に突出するため、ディスクＤの中心孔はこの部分と干渉することになる。
【００２２】
ついで、図５の（ｃ）に示すように、使用者が直下方にディスクＤを続けて押し下げる場合、ディスクＤの嵌合方向に伝達される力によって下側水平部１４０ａの第１変位空間内でチャッキング部が下側に変形されるにつれて、内側方向にチャッキング部に伝達される力によって上側水平部１６０ａが第２変位空間内で内側に弾性変形することによりディスクＤが装着される。この際、ディスクＤの嵌合方向に伝達される力によってチャッキング部が下側に変形されるとき、弾性部材１７０はチャッキング部に内側方向に弾性力を提供することでチャッキング部の塑性変形を防止することになる。
最後に、図５の（ｄ）に示すように、ディスクＤが装着された場合、チャッキング部は自体弾性力によって元の状態に戻ることになり、外側に斜めに形成された垂直部１５０ａはディスクＤを拘束して固定させることになる。
一方、図示しなかったが、ディスクＤの脱着は前記装着過程の反対順に進むとよい。
【００２３】
ディスクチャッキング装置−第２実施例
図６は本発明の好適な第２実施例によるディスクチャッキング装置の断面図、図７は図６に示されたディスクチャッキング装置の斜視図である。以下、これら図を参照して本実施例によるディスクチャッキング装置１００ｂについて説明する。本実施例はチャッキング部の構成を除き以前の実施例と類似しているので、同一または対応の構成要素に対しては同一参照番号を付け、重複する部分についての説明は省略する。
【００２４】
図６及び図７に示すように、本実施例によるディスクチャッキング装置１００ｂは、チャッキング部がローターケース１２０の上側から延び、外側に斜めに形成される垂直部１５０ｂ、及び前記垂直部１５０ｂの端部から内側にほぼ水平に延びる上側水平部１６０ｂを含んでなる。
垂直部１５０ｂは、ディスクＤの装着及び脱着の際に印加される力によって内側方向に弾性変形することにより、ディスクＤのチャッキングができるようにするとともに嵌合されたディスクＤを固定する役目をする。
上側水平部１６０ｂは前記垂直部１５０ｂの上端から内側方向にほぼ水平に折り曲げられて延び、中心ボス部１３０ｂから離隔するように形成される。この際、上側水平部１６０ｂは中心ボス部１３０ｂに対する離隔距離の分だけ変位空間を確保することになり、変位空間は上側水平部１６０ｂを含むチャッキング部が内側方向に弾性変形できるようにする。ここで、垂直部１５０ｂの上端と連結される上側水平部１６０ｂの先端は、ディスクＤの嵌合を補助するために、傾いた構造を持ち、自体弾性力を増大させるために、内部が開放した構造、つまり開放部を備えることが好ましい。
【００２５】
図８は図６及び図７に示されたディスクチャッキング装置にディスクが装着される順序を示す断面図である。以下、同図を参照して第２実施例によるディスクチャッキング装置１００ｂの装着状態について説明する。
まず、図８の（ａ）に示すように、ディスクチャッキング装置１００ｂの上部にディスクＤの中心孔がガイド部１８０に対応するように配置する。
ついで、図８の（ｂ）に示すように、使用者がディスクＤを直下方に押し下げる。この際、ガイド部１８０の外径はディスクＤの中心孔の内径よりは小さいが、チャッキング部の先端、具体的に外側に傾いた垂直部１５０ｂの上端と上側水平部１６０ｂの先端は外側に突出するため、ディスクＤの中心孔はこの部分と干渉することになる。
【００２６】
ついで、図８の（ｃ）に示すように、使用者が直下方にディスクＤを続けて押し下げる場合、ディスクＤの嵌合方向に伝達される力によってチャッキング部が変位空間内で下側に変形して、内側方向にチャッキング部に伝達される力によってチャッキング部が変位空間内で内側に弾性変形することによりディスクＤが装着される。
最後に、図８の（ｄ）に示すように、ディスクＤが装着された場合、チャッキング部は自体弾性力によって元の状態に戻ることになり、外側に斜めに形成された垂直部１５０ｂはディスクＤを拘束して固定させることになる。
【００２７】
ディスクチャッキング装置−第３実施例
図９は本発明の好適な第３実施例によるディスクチャッキング装置の断面図、図１０は図９に示されたディスクチャッキング装置の斜視図である。以下、これらの図を参照して本実施例によるディスクチャッキング装置１００ｃについて説明する。本実施例はチャッキング部の構成を除き以前の実施例と類似しているので、同一または対応の構成要素に対しては同一参照番号を付け、重複する部分についての説明は省略する。
【００２８】
図９及び図１０に示すように、本実施例によるディスクチャッキング装置１００ｃは、チャッキング部が中心ボス部１３０ｃの上部から外側にほぼ水平に延びる上側水平部１６０ｃ、及び前記上側水平部１６０ｃの端部から下方に折り曲げられ、内側に斜めに延びる垂直部１５０ｃを含んでなる。
上側水平部１６０ｃの先端は、ディスクＤの嵌合を補助するために、外側に傾いた構造を持ち、自体弾性力を増大させるために、内部が開放した構造、つまり開放部を備えることが好ましい。
垂直部１５０ｃは、ディスクＤの装着及び脱着の際に印加される力によって内側方向に弾性変形することによりディスクＤのチャッキングができるようにするとともに嵌合されたディスクＤを固定する役目をする。この際、垂直部１５０ｃはローターケース１２０及び中心ボス部１３０ｃから離隔するため、下側方向及び内側方向に弾性変形可能な変位空間を確保することになる。
図１１は図９及び図１０に示されたディスクチャッキング装置にディスクが装着される順序を示す断面図である。以下、同図を参照して第３実施例によるディスクチャッキング装置１００ｃの装着状態について説明する。
まず、図１１の（ａ）に示すように、ディスクチャッキング装置１００ｃの上部にディスクＤの中心孔がガイド部１８０に対応するように配置する。
ついで、図１１の（ｂ）に示すように、使用者がディスクＤを直下方に押し下げる。この際、ガイド部１８０の外径はディスクＤの中心孔の内径よりは小さいが、チャッキング部の先端、具体的に外側に傾いた垂直部１５０ｃの上端と上側水平部１６０ｃの先端は外側に突出するため、ディスクＤの中心孔はこの部分と干渉することになる。
【００２９】
ついで、図１１の（ｃ）に示すように、使用者が直下方にディスクＤを続けて押し下げる場合、ディスクＤの嵌合方向に伝達される力によってチャッキング部が変位空間内で下側に変形されながら、内側方向にチャッキング部に伝達される力によってチャッキング部が変位空間内で内側に弾性変形することによりディスクＤが装着される。
最後に、図１１の（ｄ）に示すように、ディスクＤが装着された場合、チャッキング部は自体弾性力によって元の状態に戻ることになり、外側に斜めに形成された垂直部１５０ｃはディスクＤを拘束して固定させることになる。
【００３０】
以上、本発明を具体的な実施例に基づいて詳細に説明したが、これは本発明を具体的に説明するためのもので、本発明によるディスクチャッキング装置はこれに限定されなく、本発明の技術的思想内で当該分野の通常の知識を持った者によって多様な変形及び改良が可能であろう。本発明の単純な変形ないし変更はいずれも本発明の範疇内に属するもので、本発明の具体的な保護範囲は特許請求範囲によって明らかに決まるであろう。
【産業上の利用可能性】
【００３１】
本発明は、構造的弾性力を用いて、構造が単純なディスクチャッキング装置を提供する。
【符号の説明】
【００３２】
１１０    回転軸
１２０    ローターケース
１２２    スリップ防止部材
１３０ａ、１３０ｂ、１３０ｃ    中心ボス部
１４０ａ    下側水平部
１５０ａ、１５０ｂ、１５０ｃ    垂直部
１６０ａ、１６０ｂ、１６０ｃ    上側水平部
１７０    弾性部材
１８０    ガイド部
１９０    弾性片